(57)【要約】【課題】記録再生システムを従来のＰＳ系からＴＳ系へ移行、あるいはＴＳ系とＰＳ系とを混在させることにより、ＴＳをそのまま記録媒体に記録再生することを可能とし、また、ＴＳ／ＰＳ変換処理を施すことによりＴＳ系とＰＳ系システムとの間でのダビングを可能とする。【解決手段】ＴＳコントローラ１１に接続されＴＳの記録再生が可能である少なくとも２つの記録媒体記録再生装置１２１，１２２と、ＰＳコントローラ１５に接続されＰＳの記録再生が可能である少なくとも１つの記録媒体制御装置１６１とを有する。装置内の各記録媒体間におけるダビングを可能とし、また、記録媒体制御装置１２１，１２２内の記録媒体からのＴＳの再生と、記録媒体制御装置１６１内の記録媒体へのＰＳの記録との同時処理、記録媒体制御装置１２１，１２２内の記録媒体へのＴＳの記録と、記録媒体制御装置１６１内の記録媒体からの再生との同時処理を行うことができる。【選択図】図２
2006134505.tif 000002
【特許請求の範囲】
【請求項１】
ＴＳ（トランスポートストリーム）コントローラと、該ＴＳコントローラに接続されＴＳの記録再生が可能である少なくとも２つの記録媒体制御装置と、ＴＳデコーダとを有することを特徴とする動画像記録再生装置。
【請求項２】
請求項１に記載の動画像記録再生装置において、ＴＳの記録再生が可能である少なくとも１つの記録媒体制御装置が、リムーバブル型記録媒体制御装置であることを特徴とする動画像記録再生装置。
【請求項３】
請求項１に記載の動画像記録再生装置において、ＴＳコントローラが、ＴＳの記録再生が可能である同一あるいは異なる記録媒体制御装置内の記録媒体に対して、２系統のＴＳを同時に制御する機能を有することを特徴とする動画像記録再生装置。
【請求項４】
請求項１に記載の動画像記録再生装置において、更に、ＴＳ／ＰＳ（プログラムストリーム）エンコーダと、ＰＳデコーダと、ＰＳコントローラと、該ＰＳコントローラに接続されＰＳの記録再生が可能である少なくとも１つの記録媒体制御装置とを有することを特徴とする動画像記録再生装置。
【請求項５】
請求項４に記載の動画像記録再生装置において、ＴＳの記録再生が可能である少なくとも１つの記録媒体制御装置が、リムーバブル型記録媒体制御装置であることを特徴とする動画像記録再生装置。
【請求項６】
請求項４に記載の動画像記録再生装置において、ＴＳコントローラが、ＴＳの記録再生が可能である異なる記録媒体制御装置内の記録媒体に対して２系統のＴＳを制御すると同時に、ＰＳコントローラが、ＰＳの記録再生が可能である異なる記録媒体制御装置内の記録媒体に対して２系統のＰＳを制御する機能を有することを特徴とする動画像記録再生装置。
【発明の詳細な説明】
【技術分野】
【０００１】
本発明は、動画像記録再生装置、より詳細には、複数の記録媒体制御装置を有する動画像記録再生装置に関する。
【背景技術】
【０００２】
近年のＤＶＤの急速な普及の高まりを受け、ＤＶＤ単体レコーダ、あるいはＨＤＤ等複数の記録媒体制御装置を兼ね備えたＤＶＤ複合レコーダが相次いで商品化されており、この背景には、ＤＶＤが高画質、高音質、高圧縮などの優れた特徴を有するＭＰＥＧ２規格を採用していることが挙げられる。ＭＰＥＧ２には２種類の方式が規定されており、デジタル放送等の放送・通信での使用を前提とするＴＳ（トランスポートストリーム）方式と、蓄積型メディアでの使用を前提とするＰＳ（プログラムストリーム）方式とがある。蓄積型メディアであるＤＶＤは後者の方式を採用しており、複数の記録媒体制御装置を備えるＤＶＤレコーダの内部構成は、ＤＶＤとの互換性を保つためにＰＳ系の記録再生システムを採用している場合が多い。
【０００３】
図３は、従来の動画像記録再生装置のハードウェア構成を示すブロック図で、図中、２０は動画像記録再生装置で、該動画像記録再生装置２０は、ＰＳエンコーダ２１、ＰＳコントローラ２２、該ＰＳコントローラ２２に接続されＰＳの記録再生が可能である２つの記録媒体制御装置２３１，２３２、及びＰＳデコーダ２４により構成される。記録を行う場合、アナログ放送あるいは外部入力により入力された信号（Ｓｉｎ）は、ＰＳエンコーダ２１によりＰＳに符号化され、ＰＳコントローラ２２により所定のストリーム変換が施された後、記録媒体制御装置２３１又は２３２内の記録媒体に記録される。
再生を行う場合、記録媒体に記録されたＰＳはＰＳコントローラ２２により所定のストリーム変換を施された後、ＰＳデコーダ２４により復号され外部に出力される（Ｓｏｕｔ）。記録媒体間でダビングを行う場合、ＰＳコントローラ２２を介して所定のストリーム変換を施した後、記録媒体間のＰＳの移動あるいは複写が行われ、高速にダビングを行うことも可能である。
【０００４】
図４は、図３に示した構成に、更に、ビデオコントローラ２５、ＶＴＲ（記録媒体制御装置）２６とを備えた、従来の動画像記録再生装置を加えたハードウェア構成を示すブロック図で、図３に示した動画像記録再生装置の機能に加え、切り換えスイッチＳＷ１とＳＷ２とを切り換えることにより、ビデオテープに対する記録再生、あるいはＰＳの記録再生が可能である記録媒体制御装置２３１又は２３２内の記録媒体と記録媒体制御装置２６内のビデオテープ間でのダビングを可能としたものである。
【発明の開示】
【発明が解決しようとする課題】
【０００５】
ＰＳ方式が蓄積型メディア向けの規格であるのに対し、ＴＳ方式は、通信路の伝送方式と親和性の高い１８８バイト固定長の短いパケット、複数チャンネルの多重化等の特徴を有することにより、より放送に適した方式となっている。これにより、複数チャンネル対応、ハイビジョン放送、種々のマルチメディアデータ放送等、ストリームの自由な組み合わせによる、様々なデジタル放送サービスを享受することが可能である。従来のように、ＰＳ系の記録再生システムを用いた動画像記録再生装置の場合、デジタル放送を記録するためには、ＴＳを外部のデジタルチューナ装置を介して一旦復号した後、動画像記録再生装置に入力し、再度ＰＳに符号化する必要がある。ＴＳストリームを直接記録媒体に対し記録再生することができないため、デジタル放送の上記メリットは失われる。
【課題を解決するための手段】
【０００６】
第１の動画像記録再生装置は、ＴＳコントローラと、ＴＳコントローラに接続されＴＳの記録再生が可能である少なくとも２つの記録媒体制御装置と、ＴＳデコーダとを有することを特徴としたものである。
【０００７】
第２の動画像記録再生装置は、第１の動画像記録再生装置において、ＴＳの記録再生が可能である少なくとも１つの記録媒体制御装置が、リムーバブル型記録媒体制御装置であることを特徴としたものである。
【０００８】
第３の動画像記録再生装置は、第１の動画像記録再生装置において、ＴＳコントローラが、ＴＳの記録再生が可能である同一あるいは異なる記録媒体制御装置内の記録媒体に対して、２系統のＴＳを同時に制御する機能を有することを特徴としたものである。
【０００９】
第４の動画像記録再生装置は、第１の動画像記録再生装置において、更に、ＴＳ／ＰＳエンコーダと、ＰＳデコーダと、ＰＳコントローラと、ＰＳコントローラに接続されＰＳの記録再生が可能である少なくとも１つの記録媒体制御装置とを有することを特徴としたものである。
【００１０】
第５の動画像記録再生装置は、第４の動画像記録再生装置において、ＴＳの記録再生が可能である少なくとも１つの記録媒体制御装置が、リムーバブル型記録媒体制御装置であることを特徴としたものである。
【００１１】
第６の動画像記録再生装置は、第４の動画像記録再生装置において、ＴＳコントローラが、ＴＳの記録再生が可能である異なる記録媒体制御装置内の記録媒体に対して２系統のＴＳを制御すると同時に、ＰＳコントローラが、ＰＳの記録再生が可能である異なる記録媒体制御装置内の記録媒体に対して２系統のＰＳを制御する機能を有することを特徴としたものである。
【発明の効果】
【００１２】
本発明によると、記録再生システムを従来のＰＳ系からＴＳ系へ移行、あるいはＴＳ系とＰＳ系とを混在させることにより、ＴＳをそのまま記録媒体に記録再生することが可能であり、またＴＳ／ＰＳ変換処理を施すことによりＴＳ系とＰＳ系システムとの間でのダビングを実行することもできる。
【００１３】
第１の動画像記録再生装置によると、ＴＳコントローラと、該ＴＳコントローラに接続されＴＳの記録再生が可能である少なくとも２つの記録媒体制御装置と、ＴＳデコーダとを有するので、動画像記録再生装置の容量拡大、バックアップを行うことができ、また、ＴＳの記録再生が可能である記録媒体制御装置内の記録媒体間におけるＴＳの無劣化かつ高速なダビングを行うことができる。
【００１４】
第２の動画像記録再生装置によると、ＴＳの記録再生が可能である少なくとも１つの記録媒体制御装置が、リムーバブル型記録媒体制御装置であるので、動画像記録再生装置からリムーバブル型記録媒体へのＴＳの移動あるいは複写、またはリムーバブル型記録媒体から動画像記録再生装置へのＴＳの移動あるいは複写を行うことができる。
【００１５】
第３の動画像記録再生装置によると、ＴＳコントローラが、ＴＳの記録再生が可能である同一あるいは異なる記録媒体制御装置内の記録媒体に対して、２系統のＴＳを同時に制御する機能を有するので、ＴＳの記録再生が可能である同一あるいは異なる記録媒体制御装置内の記録媒体に対して、ＴＳの記録および再生を同時に行うことが可能である。
【００１６】
第４の動画像記録再生装置によると、第１の動画像記録再生装置の構成に加えて、更に、ＴＳ／ＰＳエンコーダと、ＰＳデコーダと、ＰＳコントローラと、ＰＳコントローラに接続されＰＳの記録再生が可能である少なくとも１つの記録媒体制御装置とを有するので、装置内の各記録媒体間におけるダビングを可能とし、また、ＴＳの記録再生が可能である記録媒体制御装置内の記録媒体からのＴＳの再生と、ＰＳの記録再生が可能である記録媒体制御装置内の記録媒体へのＰＳの記録との同時処理、ＴＳの記録再生が可能である記録媒体制御装置内の記録媒体へのＴＳの記録と、ＰＳの記録再生が可能である記録媒体制御装置内の記録媒体からの再生との同時処理を行うことができる。
【００１７】
また、第５の動画像記録再生装置によると、第４の動画像記録再生装置において、ＴＳの記録再生が可能である少なくとも１つの記録媒体制御装置が、リムーバブル型記録媒体制御装置であるので、ＰＳの記録再生が可能である記録媒体制御装置内の記録媒体のＰＳをＴＳ変換した後に、リムーバブル型記録媒体への移動あるいは複写、またはリムーバブル型記録媒体から取り込んだＴＳをＰＳ変換した後に、ＰＳの記録再生が可能である記録媒体制御装置内の記録媒体への移動あるいは複写が可能である。
【００１８】
また、第６の動画像記録再生装置によると、第４の動画像記録再生装置において、ＴＳコントローラが、ＴＳの記録再生が可能である異なる記録媒体制御装置内の記録媒体に対して２系統のＴＳを制御すると同時に、ＰＳコントローラが、ＰＳの記録再生が可能である異なる記録媒体制御装置内の記録媒体に対して２系統のＰＳを制御する機能を有するので、ＴＳの記録再生が可能である２つの記録媒体制御装置内の記録媒体間におけるＴＳの無劣化かつ高速なダビングと、ＰＳの記録再生が可能である２つの記録媒体制御装置内の記録媒体間におけるＰＳの無劣化かつ高速なダビングとの同時処理、ＴＳの記録再生が可能である記録媒体制御装置内の記録媒体への記録と、ＴＳの記録再生が可能である記録媒体制御装置内の記録媒体から、ＰＳの記録再生が可能である記録媒体制御装置内の記録媒体へのダビングとの同時処理、ＴＳの記録再生が可能である記録媒体制御装置内の記録媒体間におけるＴＳのダビングと、ＰＳの記録再生が可能である記録媒体制御装置内の記録媒体へのＰＳの記録との同時処理、ＴＳの記録再生が可能である記録媒体制御装置内の記録媒体へのＴＳの記録と、ＰＳの記録再生が可能である記録媒体制御装置内の記録媒体間におけるＰＳの無劣化かつ高速なダビングとの同時処理を実行することが可能である。
【発明を実施するための最良の形態】
【００１９】
以下に、本発明による動画象記録再生装置の実施形態について、本装置をレコーダ商品として使用することを想定して説明するが、本装置はテレビやパソコン等の応用商品として、内部に組み込んで使用することも可能である。
【００２０】
図１は、ＴＳの記録再生を行う動画像記録再生装置を示すブロック図で、動画像記録再生装置１０は、ＴＳコントローラ１１と、該ＴＳコントローラ１１に接続されＴＳの記録再生が可能である少なくとも２つの記録媒体制御装置１２１，１２２…と、ＴＳデコーダ１３により構成される。ここで、ストリームコントローラとは、ストリームの暗号化、復号、ＰＩＤ（パケット識別子）のフィルタリング、タイムスタンプの付加、コピー制御情報の付加等の各種ストリーム変換、記録媒体制御装置とのインターフェース、メモリ等の機能を有するものである。２系統のＴＳを同時に制御する性能を持ち、同一あるいは異なる記録媒体制御装置内の記録媒体に対して、ＴＳの記録および再生を同時に行うことが可能である。入力部は、ＴＳストリームの送受信が可能であるｉ．ＬＩＮＫ等のインターフェース、あるいはデジタル放送用アンテナ入力端子を備え、デジタル放送用アンテナ入力端子が装着される場合には、本装置内部にデジタルチューナ部が必要となり、デジタル放送波の復調を行う。また、出力部は、テレビあるいはＶＴＲに接続可能な、アナログあるいはデジタルの映像・音声出力端子を備える。
【００２１】
まず、始めに、ＴＳの記録を行う手順について説明する。入力されたＴＳ（Ｓｉｎ）は、ＴＳコントローラ１１において所定のストリーム変換処理を施された後、ＴＳの記録再生が可能な記録媒体制御装置１２１，１２２…内の記録媒体に記録される。
次に、ＴＳの再生を行う手順について説明する。ＴＳの記録再生が可能な記録媒体制御装置１２１，１２２…内の記録媒体より読み出されたＴＳは、ＴＳコントローラ１１により所定のストリーム変換処理を施された後、ＴＳデコーダ１３により復号され、外部に出力される。
次に、ＴＳの記録再生が可能である記録媒体制御装置内の記録媒体間でのダビングを行う手順について説明する。記録媒体に記録されているＴＳは、ＴＳコントローラ１１により所定のストリーム変換処理を施された後、他の記録媒体に複写される。再符号化を伴わないため、無劣化かつ高速なダビングを行うことが可能である。
【００２２】
図２は、ＴＳおよびＰＳの記録再生を行う動画像記録再生装置を示すブロック図で、該動画像記録再生装置１０は、図１に示したＴＳコントローラ１１と、ＴＳコントローラ１１に接続されＴＳの記録再生が可能である少なくとも２つの記録媒体制御装置１２１，１２２と、ＴＳデコーダ１３に加え、更に、ＴＳ／ＰＳエンコーダ１４と、ＰＳコントローラ１５と、ＰＳコントローラ１５に接続されＰＳの記録再生が可能である少なくとも１つの記録媒体制御装置１６１…と、ＰＳデコーダ１７とにより構成される。ここで、ＴＳ／ＰＳエンコーダ１４とは、入力されたアナログ信号をＴＳあるいはＰＳへ符号化を行うエンコーダである。また、ＳＷ１は、外部より入力されたアナログ信号と、ＴＳデコーダあるいはＰＳデコーダにより復号されたアナログ信号とを入力選択するスイッチであり、ＳＷ２は、外部より入力されたＴＳと、ＴＳ／ＰＳエンコーダ１４により符号化されたＴＳとを入力選択するスイッチであり、ＳＷ３は、ＰＳデコーダ１７により復号されたアナログ信号と、ＴＳデコーダ１３により復号されたアナログ信号とを入力選択するスイッチである。
【００２３】
入力部は、図１と同様のＴＳ用入力端子と、アナログ放送用アンテナ入力端子あるいは外部入力端子を備え、アナログ放送用アンテナ入力端子が装着される場合には、本装置内部にアナログチューナ部が必要となり、アナログ放送波の復調を行う。ＴＳ／ＰＳエンコーダ１４による符号化は実時間であるため、ＴＳ／ＰＳエンコーダ１４による符号化が必要とされるダビングの場合は、コンテンツの記録時間分の時間を要し、また、再符号化することにより画質の劣化を伴う。
【００２４】
まず、始めに、ＴＳの記録を行う手順について説明する。デジタル放送をＴＳとして記録する場合は、図１の場合と同様である。アナログ放送あるいは外部入力をＴＳとして記録する場合は、ＴＳ／ＰＳエンコーダ１４に入力されたアナログ信号はＴＳに符号化された後、ＴＳコントローラ１１に入力され、所定のストリーム変換処理を施された後、ＴＳの記録再生が可能な記録媒体制御装置１２１，１２２…内の記録媒体に記録される。
【００２５】
次に、ＰＳの記録を行う手順について説明する。デジタル放送をＰＳとして記録する場合は、ＴＳコントローラ１１、ＴＳデコーダ１３を経て復号されたアナログ信号は、ＴＳ／ＰＳエンコーダ１４によりＰＳに符号化され、ＰＳコントローラ１５に入力された後、所定のストリーム変換処理を施され、ＰＳの記録再生が可能な記録媒体制御装置１６１…内の記録媒体に記録される。アナログ放送あるいは外部入力をＰＳとして記録する場合は、入力されたアナログ信号はＴＳ／ＰＳエンコーダ１４によりＰＳに符号化され、ＰＳコントローラ１５に入力された後、所定のストリーム変換処理を施され、ＰＳの記録再生が可能な記録媒体制御装置１６１内の記録媒体に記録される。
【００２６】
次に、ＴＳの再生を行う手順について説明する。ＴＳの再生は、図１の場合と同様である。
次に、ＰＳの再生を行う手順について説明する。ＰＳの記録再生が可能な記録媒体制御装置１６１…内の記録媒体より読み出されたＰＳは、ＰＳコントローラ１５により所定のストリーム変換処理を施された後、ＰＳデコーダ１７により復号され、外部に出力される。
【００２７】
次に、ダビングを行う手順について説明する。本装置は、図２に示すようなハードウェア構成をとることにより、各記録媒体制御装置内の記録媒体間におけるダビングが可能である。まず、ＴＳの記録再生が可能である記録媒体制御装置１２１、１２２…内の記録媒体間におけるＴＳのダビングについて説明する。記録媒体に記録されているＴＳは、ＴＳコントローラ１１により所定のストリーム変換処理を施された後、他の記録媒体に複写される。再符号化を伴わないため、無劣化かつ高速なダビングを行うことが可能である。
【００２８】
次に、ＰＳの記録再生が可能である記録媒体制御装置１６１…内の記録媒体間におけるＰＳのダビングについて説明する。記録媒体に記録されているＰＳは、ＰＳコントローラ１５により所定のストリーム変換処理を施された後、他の記録媒体に複写される。再符号化を伴わないため、無劣化かつ高速なダビングを行うことが可能である。
【００２９】
次に、ＴＳの記録再生が可能である記録媒体制御装置１２１、１２２…内の記録媒体からＰＳの記録再生が可能である記録媒体制御装置１６１…内の記録媒体へのダビングについて説明する。ＴＳは、ＴＳコントローラ１１により所定のストリーム変換処理を施された後、ＴＳデコーダ１３により復号され、切り換えスイッチＳＷ３、ＳＷ１を経由してＴＳ／ＰＳエンコーダ１４に入力される。ＰＳに再符号化された後、ＰＳコントローラ１５により所定のストリーム変換を施され、ＰＳの記録再生が可能である記録媒体制御装置１６１…内の記録媒体へ記録される。再符号化を行うことにより、実時間かつ画質の劣化を伴うダビングとなる。
【００３０】
次に、ＰＳの記録再生が可能である記録媒体制御装置１６１…内の記録媒体からＴＳの記録再生が可能である記録媒体制御装置１２１、１２２…内の記録媒体へのダビングについて説明する。ＰＳは、ＰＳコントローラ１５により所定のストリーム変換処理を施された後、ＰＳデコーダ１７により復号され、切り換えスイッチＳＷ３、ＳＷ１を経由してＴＳ／ＰＳエンコーダ１４に入力される。ＴＳに再符号化された後、ＴＳコントローラ１１により所定のストリーム変換を施され、ＴＳの記録再生が可能である記録媒体制御装置１２１、１２２…内の記録媒体へ記録される。再符号化を行うことにより、実時間かつ画質の劣化を伴うダビングとなる。
【００３１】
また、本装置では、ＴＳコントローラ１１が、ＴＳの記録再生が可能である異なる記録媒体制御装置内の記録媒体に対して２系統のＴＳを制御すると同時に、ＰＳコントローラ１５が、ＰＳの記録再生が可能である異なる記録媒体制御装置内の記録媒体に対して２系統のＰＳの制御が可能であり、ＴＳの記録再生が可能である２つの記録媒体制御装置内の記録媒体間におけるＴＳの無劣化かつ高速なダビングと、ＰＳの記録再生が可能である２つの記録媒体制御装置内の記録媒体間におけるＰＳの無劣化かつ高速なダビングとの同時処理、ＴＳの記録再生が可能である記録媒体制御装置内の記録媒体への記録と、ＴＳの記録再生が可能である記録媒体制御装置内の記録媒体から、ＰＳの記録再生が可能である記録媒体制御装置内の記録媒体へのダビングとの同時処理、ＴＳの記録再生が可能である記録媒体制御装置内の記録媒体間におけるＴＳのダビングと、ＰＳの記録再生が可能である記録媒体制御装置内の記録媒体へのＰＳの記録との同時処理、ＴＳの記録再生が可能である記録媒体制御装置内の記録媒体へのＴＳの記録と、ＰＳの記録再生が可能である記録媒体制御装置内の記録媒体間におけるＰＳの無劣化かつ高速なダビングとの同時処理をそれぞれ実行することが可能である。
【図面の簡単な説明】
【００３２】
【図１】ＴＳの記録再生を行う動画像記録再生装置のブロック図である。
【図２】ＴＳおよびＰＳの記録再生を行う動画像記録再生装置のブロック図である。
【図３】従来の動画像記録再生装置のブロック図である。
【図４】従来の動画像記録再生装置のブロック図である。
【符号の説明】
【００３３】
１０…動画像記録再生装置、１１…ＴＳコントローラ、１２１，１２２…記録媒体制御装置、１３…ＴＳデコーダ、１４…ＴＳ／ＰＳエンコーダ、１５…ＰＳコントローラ、１６１…記録媒体制御装置、１７…ＰＳデコーダ。
【図１】
2006134505.tif 000003
【図２】
2006134505.tif 000004
【図３】
2006134505.tif 000005
【図４】
2006134505.tif 000006